(57)【要約】【課題】半押し操作と全押し操作とにおいて誤操作が起こりにくい押しボタン装置を提供する。【解決手段】本発明に係る押しボタン装置９００は、押圧する距離に応じて異なる操作がなされる操作部を、押圧操作することで、その押圧方向に第１の距離により移動させる第１押しボタン１００と、前記第１押しボタン１００と隣接した位置にあり、押圧操作することで、前記第１押しボタン１００と同じ押圧方向に、前記第１の距離よりも長い距離である第２の距離により前記操作部を移動させる第２押しボタン２００と、を有する。第１押しボタン１００は、柱状の第１押圧体１１０と第１ボタン軸１２０とを有する。第２押しボタン２００は、柱状の第２押圧体２１０と第２ボタン軸２２０とを有する。【選択図】図２
2009026683.tif 000002
【特許請求の範囲】
【請求項１】
押圧する距離に応じて異なる操作がなされる操作部を、押圧操作することで、その押圧方向に第１の距離により移動させる第１押しボタンと、
前記第１押しボタンと隣接した位置にあり、押圧操作することで、前記第１押しボタンと同じ押圧方向に、前記第１の距離よりも長い距離である第２の距離により前記操作部を移動させる第２押しボタンと、
を有することを特徴とする押しボタン装置。
【請求項２】
前記第１押しボタンは、
筐体の第１開口穴に緩挿され、上面が押圧面である柱状の第１押圧体と、
前記第１押圧体の下方に設けられ、前記第１押圧体が押し下げられることにより押下方向に前記操作部を前記第１の距離により移動させる第１ボタン軸と、を有し、
前記第２押しボタンは、
筐体の第２開口穴に緩挿され、上面が押圧面である柱状の第２押圧体と、
前記第２押圧体の下方に設けられ、前記第２押圧体が押し下げられることにより押下方向に前記操作部を前記第２の距離により移動させる第２ボタン軸と、を有する、
ことを特徴とする請求項１記載の押しボタン装置。
【請求項３】
前記第１押圧体は、該第１押圧体の底面と前記第１開口穴の底面との間に挿入された第１弾性体により弾性的に支えられ、
前記第２押圧体は、該第２押圧体の底面と前記第２開口穴の底面との間に挿入された第２弾性体により弾性的に支えられている、
ことを特徴とする請求項２記載の押しボタン装置。
【請求項４】
前記第１押圧体は、前記第１開口穴の底面から前記第１の距離について上方に離間した位置に設けられ、
前記第２押圧体は、前記第２開口穴の底面から前記第２の距離について上方に離間した位置に設けられる、
ことを特徴とする請求項２又は３に記載の押しボタン装置。
【請求項５】
前記第１押しボタンは、
筐体の第１開口穴に緩挿され、上面が押圧面である柱状の第１押圧体を有し、
前記第２押しボタンは、
筐体の第２開口穴に緩挿され、上面が押圧面である柱状の第２押圧体と、
前記第２押圧体の下方に設けられ、前記第２押圧体が押し下げられることにより押下方向に前記操作部を前記第２の距離により移動させる第２ボタン軸と、を有し、
さらに、前記第１押しボタンは、前記第１押圧体の下方に設けられ、前記第１押圧体が押し下げられることにより、前記第２ボタン軸を押下方向に前記第１の距離により下方に移動させて、前記操作部を前記第１の距離により移動させる操作体を有する、
ことを特徴とする請求項１記載の押しボタン装置。
【請求項６】
前記第２ボタン軸には、前記操作体が押し下げられることにより、該操作体と接触することで該第２ボタン軸を押し下げる連動体が設けられている、
ことを特徴とする請求項５記載の押しボタン装置。
【請求項７】
前記操作体は、該操作体の底面と前記第１開口穴の底面との間に挿入された第１弾性体により弾性的に支えられており、
前記連動体は、該連動体の底面と前記第２開口穴の底面との間に挿入された第２弾性体により弾性的に支えられている、
ことを特徴とする請求項６記載の押しボタン装置。
【請求項８】
前記操作体は、前記第１開口穴の底面から前記第１の距離について上方に離間した位置に設けられ、
前記連動体は、前記第２開口穴の底面から前記第２の距離について上方に離間した位置に設けられる、
ことを特徴とする請求項６又は７に記載の押しボタン装置。
【請求項９】
シーソー台と、
前記シーソー台を、該シーソー台の中心部から一方の端部側へ所定距離離間した位置で、回動自在に支える枢軸としての支点と、
前記シーソー台の回動動作に伴い、下方向に移動することにより前記操作部を前記第１の距離及び第２の距離により移動させる、移動体と、を有し、
前記第１押しボタンは、筐体の第１開口穴に緩挿され、上面が押圧面である柱状の第１押圧体を、前記シーソー台の前記一方の端部の上方に有し、
前記第２押しボタンは、筐体の第２開口穴に緩挿され、上面が押圧面である柱状の第２押圧体を、前記シーソー台の他方の端部の上方に有し、
前記移動体は、
前記第１押圧体の押圧操作により、前記シーソー台が一方の方向に回動することで、前記操作部を前記第１の距離により移動させ、
前記第２押圧体の押圧操作により、前記シーソー台が他方の方向に回動することで、前記操作部を前記第２の距離により移動させる、
ことを特徴とする請求項１記載の押しボタン装置。
【請求項１０】
前記シーソー台の一方の端部の下面と前記移動体との間には下部第１弾性体が設けられ、前記下部第１弾性体は、前記シーソー台が一方の方向への回動に伴い、前記移動体を下方へ移動させ、
前記シーソー台の他方の端部の下面と前記移動体との間には下部第２弾性体が設けられ、前記下部第２弾性体は、前記シーソー台が他方の方向への回動に伴い、前記移動体を下方へ移動させる、
ことを特徴とする請求項９記載の押しボタン装置。
【請求項１１】
前記シーソー台の一方の端部と前記第１押圧体との間には上部第１弾性体が設けられ、前記上部第１弾性体は、前記第１押圧体が押圧操作されるに伴い、前記シーソー台を一方の方向に回動させ、
前記シーソー台の他方の端部と前記第２押圧体との間には上部第２弾性体が設けられ、前記上部第２弾性体は、前記第２押圧体が押圧操作されるに伴い、前記シーソー台を他方の方向に回動させる、
ことを特徴とする請求項９又は１０に記載の押しボタン装置。
【請求項１２】
前記第１押圧体は、前記上部第１弾性体が該第１押圧体を上方へ付勢したとしても、該第１押圧体を筐体の外側へ突出しないようにする第１規制部材を有し、
前記第２押圧体は、前記上部第２弾性体が該第２押圧体を上方へ付勢したとしても、該第２押圧体を筐体の外側へ突出しないようにする第２規制部材を有する、
ことを特徴とする請求項１１に記載の押しボタン装置。
【請求項１３】
筐体の開口穴に緩挿されているシーソー型ボタンと、
前記シーソー型ボタンを、該シーソー型ボタンの中心部から一方の端部側へ所定距離離間した位置で、回動自在に支える枢軸としての支点と、
前記シーソー型ボタンの回動動作に伴い、下方向に移動することにより操作部を前記第１の距離及び第２の距離により移動させる、移動体と、を有し、
前記第１押しボタンは、前記シーソー型ボタンの前記一方の端部であり、
前記第２押しボタンは、前記シーソー型ボタンの他方の端部であり、
前記移動体は、
前記第１押しボタンを押圧することで、前記シーソー型ボタンが一方の方向に回動して、前記操作部を前記第１の距離により移動させ、
前記第２押しボタンを押圧することで、前記シーソー型ボタンが他方の方向に回動して、前記操作部を前記第２の距離により移動させる、
ことを特徴とする押しボタン装置。
【発明の詳細な説明】
【技術分野】
【０００１】
本発明は、押しボタン装置に関する。
【背景技術】
【０００２】
デジタルカメラやコンパクトカメラは、まずシャッターを半押しにして、カメラのピント等をあわせて、そのあとでシャッター全押しにして写真を撮る。
【０００３】
デジタルカメラ等をスキー場等へ携帯し、雪山等の写真撮影を行う際は、スキーグローブを装着した状態でカメラのシャッターを押すことがある。ところが、スキーグローブを装着した状態では、カメラのシャッターボタンに生指が触れておらず、シャッターの半押しの感覚をつかみにくい。そのため、誤ってシャッターを全押ししてしまうことがある。
【０００４】
また、最近のマリンスポーツの流行に伴い、デジタルカメラ等を防水ケースで被覆して海中へ携帯し、熱帯魚等の写真撮影を行うことがある。海中での写真撮影では、防水ケースに設けられたボタンを通して間接的にシャッターを押すが、カメラのシャッターボタンに生指が触れていないので、シャッターの半押しの感覚をつかみにくい。そのため、誤ってシャッターを全押ししてしまうことがある。
【０００５】
そのため、半押し操作と全押し操作のように異なる操作間における誤操作を少なくしてシャッターを押すことができる押しボタン装置が要請される。
【０００６】
誤操作を少なくしうるボタン装置としては、例えば特許文献１に開示されるボタン装置がある。このボタン装置は、押しボタンの第１の操作で第１のスイッチをオンにせしめ、該押しボタンの第２の操作で第２のスイッチをオンにせしめるものである。
【０００７】
しかし、特許文献１に開示されたボタン装置では、例えばスキーグローブを装着した状態等でカメラのシャッターボタンを押すと、第１の操作と第２の操作とにおける誤操作を少なくすることは困難である。
【０００８】
また、特許文献２には、第１のスイッチと第２のスイッチとを有し、異なる操作間における誤操作を少なくしうるボタン装置が開示されている。しかし、特許文献２に開示されたボタン装置は、第１のスイッチと第２のスイッチが一つのシャッターボタンを押すものではない。そのため、特許文献２に開示されたボタン装置では、カメラのシャッターボタンの半押し操作と全押し操作とにおいて誤操作を少なくすることは困難である。
【特許文献１】特開２０００−１２３６７９号公報
【特許文献２】特開平６−１８７８７４号公報
【発明の開示】
【発明が解決しようとする課題】
【０００９】
本発明は、このような課題に鑑みなされたものであり、異なる操作間につき、誤操作を起こりにくくして一つのボタンを押すことができる押しボタン装置を提供することを目的とするものである。具体的には、半押し操作及び全押し操作間において誤操作を起こりにくくして操作部を押すことができる押しボタン装置を提供することを目的とするものである。
【課題を解決するための手段】
【００１０】
上記目的を達成するため、この発明の押しボタン装置は、
押圧する距離に応じて異なる操作がなされる操作部を、押圧操作することで、その押圧方向に第１の距離により移動させる第１押しボタンと、
前記第１押しボタンと隣接した位置にあり、押圧操作することで、前記第１押しボタンと同じ押圧方向に、前記第１の距離よりも長い距離である第２の距離により前記操作部を移動させる第２押しボタンと、
を有することを特徴とする。
【００１１】
また、前記第１押しボタンは、
筐体の第１開口穴に緩挿され、上面が押圧面である柱状の第１押圧体と、
前記第１押圧体の下方に設けられ、前記第１押圧体が押し下げられることにより押下方向に前記操作部を前記第１の距離により移動させる第１ボタン軸と、を有し、
前記第２押しボタンは、
筐体の第２開口穴に緩挿され、上面が押圧面である柱状の第２押圧体と、
前記第２押圧体の下方に設けられ、前記第２押圧体が押し下げられることにより押下方向に前記操作部を前記第２の距離により移動させる第２ボタン軸と、を有する、ことも可能である。
【００１２】
また、前記第１押圧体は、該第１押圧体の底面と前記第１開口穴の底面との間に挿入された第１弾性体により弾性的に支えられ、
前記第２押圧体は、該第２押圧体の底面と前記第２開口穴の底面との間に挿入された第２弾性体により弾性的に支えられている、ことも可能である。
【００１３】
また、前記第１押圧体は、前記第１開口穴の底面から前記第１の距離について上方に離間した位置に設けられ、
前記第２押圧体は、前記第２開口穴の底面から前記第２の距離について上方に離間した位置に設けられる、ことも可能である。
【００１４】
また、前記第１押しボタンは、
筐体の第１開口穴に緩挿され、上面が押圧面である柱状の第１押圧体を有し、
前記第２押しボタンは、
筐体の第２開口穴に緩挿され、上面が押圧面である柱状の第２押圧体と、
前記第２押圧体の下方に設けられ、前記第２押圧体が押し下げられることにより押下方向に前記操作部を前記第２の距離により移動させる第２ボタン軸と、を有し、
さらに、前記第１押しボタンは、前記第１押圧体の下方に設けられ、前記第１押圧体が押し下げられることにより、前記第２ボタン軸を押下方向に前記第１の距離により下方に移動させて、前記操作部を前記第１の距離により移動させる操作体を有する、ことも可能である。
【００１５】
また、前記第２ボタン軸には、前記操作体が押し下げられることにより、該操作体と接触することで該第２ボタン軸を押し下げる連動体が設けられている、ことも可能である。
【００１６】
また、前記操作体は、該操作体の底面と前記第１開口穴の底面との間に挿入された第１弾性体により弾性的に支えられており、
前記連動体は、該連動体の底面と前記第２開口穴の底面との間に挿入された第２弾性体により弾性的に支えられている、ことも可能である。
【００１７】
また、前記操作体は、前記第１開口穴の底面から前記第１の距離について上方に離間した位置に設けられ、
前記連動体は、前記第２開口穴の底面から前記第２の距離について上方に離間した位置に設けられる、ことも可能である。
【００１８】
また、シーソー台と、
前記シーソー台を、該シーソー台の中心部から一方の端部側へ所定距離離間した位置で、回動自在に支える枢軸としての支点と、
前記シーソー台の回動動作に伴い、下方向に移動することにより前記操作部を前記第１の距離及び第２の距離により移動させる、移動体と、を有し、
前記第１押しボタンは、筐体の第１開口穴に緩挿され、上面が押圧面である柱状の第１押圧体を、前記シーソー台の前記一方の端部の上方に有し、
前記第２押しボタンは、筐体の第２開口穴に緩挿され、上面が押圧面である柱状の第２押圧体を、前記シーソー台の他方の端部の上方に有し、
前記移動体は、
前記第１押圧体の押圧操作により、前記シーソー台が一方の方向に回動することで、前記操作部を前記第１の距離により移動させ、
前記第２押圧体の押圧操作により、前記シーソー台が他方の方向に回動することで、前記操作部を前記第２の距離により移動させる、ことも可能である。
【００１９】
また、前記シーソー台の一方の端部の下面と前記移動体との間には下部第１弾性体が設けられ、前記下部第１弾性体は、前記シーソー台が一方の方向への回動に伴い、前記移動体を下方へ移動させ、
前記シーソー台の他方の端部の下面と前記移動体との間には下部第２弾性体が設けられ、前記下部第２弾性体は、前記シーソー台が他方の方向への回動に伴い、前記移動体を下方へ移動させる、ことも可能である。
【００２０】
また、前記シーソー台の一方の端部と前記第１押圧体との間には上部第１弾性体が設けられ、前記上部第１弾性体は、前記第１押圧体が押圧操作されるに伴い、前記シーソー台を一方の方向に回動させ、
前記シーソー台の他方の端部と前記第２押圧体との間には上部第２弾性体が設けられ、前記上部第２弾性体は、前記第２押圧体が押圧操作されるに伴い、前記シーソー台を他方の方向に回動させる、ことも可能である。
【００２１】
また、前記第１押圧体は、前記上部第１弾性体が該第１押圧体を上方へ付勢したとしても、該第１押圧体を筐体の外側へ突出しないように第１規制部材を有し、
前記第２押圧体は、前記上部第２弾性体が該第２押圧体を上方へ付勢したとしても、該第２押圧体を筐体の外側へ突出しないように第２規制部材を有する、ことも可能である。
【００２２】
また、筐体の開口穴に緩挿されているシーソー型ボタンと、
前記シーソー型ボタンを、該シーソー型ボタンの中心部から一方の端部側へ所定距離離間した位置で、回動自在に支える枢軸としての支点と、
前記シーソー型ボタンの回動動作に伴い、下方向に移動することにより操作部を前記第１の距離及び第２の距離により移動させる、移動体と、を有し、
前記第１押しボタンは、前記シーソー型ボタンの前記一方の端部であり、
前記第２押しボタンは、前記シーソー型ボタンの他方の端部であり、
前記移動体は、
前記第１押しボタンを押圧することで、前記シーソー型ボタンが一方の方向に回動して、前記操作部を前記第１の距離により移動させ、
前記第２押しボタンを押圧することで、前記シーソー型ボタンが他方の方向に回動して、前記操作部を前記第２の距離により移動させる、ことも可能である。
【発明の効果】
【００２３】
本発明に係る押しボタン装置によれば、異なる操作間につき、誤操作を起こりにくくして一つのボタンを押すことができる。
【発明を実施するための最良の形態】
【００２４】
（実施形態１）
実施形態１に係る押しボタン装置９００は、図１（ａ）に示すように、例えばカメラの防水ケースの筐体６００に適用される。図１（ｂ）に示されるように、防水ケースの筐体６００の中にはカメラ７００が封入されている。カメラ７００には操作部としてのシャッターボタン３００が設けられている。押しボタン装置９００は、第１押しボタン１００と第２押しボタン２００とを有する。第１押しボタン１００は、カメラのシャッターボタン３００を半押しする。第２押しボタン２００は、シャッターボタン３００を全押しする。第２押しボタン２００は、第１押しボタン１００と隣接する位置にある。ここで、第２押しボタン２００が第１押しボタン１００と隣接する位置にあるとは、指の腹及び該指の先部分で操作可能な範囲に位置すること、若しくは、指及び該指の隣にある指で操作可能な範囲に位置すること、である。若しくは、第１押しボタン１００の押圧面の中心部と第２押しボタン２００の押圧面の中心部との距離が０．５ｃｍ以上４ｃｍ以下である位置にあること、である。
【００２５】
実施形態１に係る押しボタン装置９００の具体的な構造が図２に示される。防水ケースの筐体６００には、第１開口穴６１０と第２開口穴６２０とが設けられている。第２開口穴６２０は第１開口穴６１０の隣接する位置に設けられている。第１押しボタン１００は、第１開口穴６１０に緩挿されている。第２押しボタン２００は、第２開口穴６２０に緩挿されている。第１押しボタン１００は、上面が押圧面である円柱形状の第１押圧体１１０を有する。第２押しボタン２００は、上面が押圧面である円柱形状の第２押圧体２１０を有する。
【００２６】
第１押圧体１１０の下には第１ボタン軸１２０が設けられる。第１ボタン軸１２０は、第１押圧体１１０が下方向に押し下げられることにより、下方向に所定の距離である第１の距離を移動してシャッターボタン３００と当接可能である。第２押圧体２１０の下には第２ボタン軸２２０が設けられる。第２ボタン軸２２０は、第２押圧体２１０が下方向に押し下げられることにより、下方向に第１の距離よりも長い距離である第２の距離を移動してシャッターボタン３００と当接可能である。
【００２７】
第１押圧体１１０の底面１１１と第１開口穴６１０の底面６１１との間には、第１弾性体１３０が挿入されている。この第１弾性体１３０は、図２に示されるようにバネである。第１押圧体１１０は第１弾性体１３０により弾性的に支えられている。また、第２押圧体２１０の底面２１１と第１開口穴６２０の底面６２１との間には、第２弾性体２３０が挿入されている。この第２弾性体２３０は、図２に示されるようにバネである。第２押圧体２１０は第２弾性体２３０により弾性的に支えられている。
【００２８】
第１押圧体１１０は、第１開口穴６１０の底面６１１から第１の距離について上方に離間した位置に設けられる。また、第２押圧体２１０は、第２開口穴６２０の底面６２１から第２の距離について上方に離間した位置に設けられる。
【００２９】
シャッターボタン３００を半押ししたい場合は、例えば人差し指の先端で第１押しボタン１００を押す。そうすると、第１押圧体１１０及び第１ボタン軸１２０が第１の距離について筐体下方に移動する。これによりシャッターボタン３００が、露出及びフォーカス等の確定を行う半押し状態となる。そして引き続きシャッターボタン３００を全押ししたい場合は、人差し指の腹で第２押しボタン２００を押す。そうすると、第２押圧体２１０及び第１ボタン軸２２０が第２の距離について筐体下方に移動する。これによりシャッターボタン３００が、画像の記録を行う全押し状態となる。ゆえに、半押し操作のわかりにくいような状況においても、カメラのシャッターボタン３００の半押し操作と全押し操作とを、第１押しボタン１００と第２押しボタン２００とで明確に区別して操作することができるから誤操作が起こりにくい。さらに、第２押しボタン２００は、第１押しボタン１００と隣接した位置に設けられている。そのため、このように同一の指で一連の流れによりシャッターボタン３００をスムーズに半押し操作から全押し操作することができる。
【００３０】
また、第１押しボタン１００が、第１押圧体１１０と、該第１押圧体１１０の下に設けられる第１ボタン軸１２０と、を有して構成される。そして、第２押しボタン２００が、第２押圧体２１０と、該第２押圧体２１０の下に設けられる第２ボタン軸２２０と、を有して構成される。そのため、第１押圧体１１０に加えられる下方向への力を、第１ボタン軸１２０でそのまま下方向にあるシャッターボタン３００に伝えることができる。また、第２押圧体２１０に加えられる下方向への力を、第２ボタン軸２２０でそのまま下方向にあるシャッターボタン３００に伝えることができる。そのため、第１押圧体１１０や第２押圧体２１０に加えられる力をスムーズにシャッターボタン３００に伝達することができる。
【００３１】
また、第１押圧体１１０が第１弾性体１３０により弾性的に支えられているから、第１開口穴６１０に緩挿されている第１押しボタン１００を繰り返してＯＮ・ＯＦＦ操作することができる。第２押圧体２１０が第２弾性体２３０により弾性的に支えられているから、第２開口穴６２０に緩挿されている第２押しボタン２００を繰り返してＯＮ・ＯＦＦ操作することができる。
【００３２】
また、第１押圧体１１０が、第１開口穴６１０の底面６１１から第１の距離について上方に離間した位置に設けられているから、第１押圧体１１０を第１開口穴６１０の底面６１１まで押し込むことで、半押し操作を簡易に行うことができる。第２押圧体２１０が、第２開口穴６２０の底面６２１から第２の距離について上方に離間した位置に設けられているから、第２押圧体２１０を第２開口穴６２０の底面６２１まで押し込むことで、全押し操作を簡易に行うことができる。
【００３３】
（実施形態２）
実施形態２に係る押しボタン装置は、実施形態１に係る押しボタン装置と異なり、図３に示すように、第２ボタン軸２２０には連動体２５０が固定されている。また、第１押圧体１１０の下には操作体１４０が設けられている。操作体１４０は略直方体であり、操作体１４０の左側部は、第１押圧体１１０の下に固定されている。操作体１４０は、第１開口穴６１０と第２開口穴６２０とを貫通する貫通孔を通して、第１開口穴６１０と第２開口穴６２０とにわたり設けられている。操作体１４０の右側部には、穴部１４２が設けられており、第２ボタン軸２２０は、該穴部１４２を貫通している。操作体１４０の右側部の下方には、円柱形状の連動体２５０が第２ボタン軸２２０に設けられている。連動体２５０と操作体１４０とはほぼ密着して設けてある。
【００３４】
操作体１４０は、該操作体１４０の底面１４１と第１開口穴６１０の底面６１１との間に挿入された第１弾性体１３０により弾性的に支えられている。第１弾性体１３０はバネである。連動体２５０は、該連動体２５０の底面２５１と第２開口穴６２０の底面６２１との間に挿入された第２弾性体２３０により弾性的に支えられている。第２弾性体２３０はバネである。操作体１４０は、第１開口穴６１０の底面６１１から第１の距離について上方に離間した位置に設けられている。連動体２５０は、第２開口穴６２０の底面６２１から第２の距離について上方に離間した位置に設けられている。
【００３５】
半押し操作をする場合は、第１押しボタン１００の第１押圧体１１０を押す。第１押圧体１１０が第１の距離について下方に移動する。第１押圧体の下方に設けられた操作体１４０も第１の距離について下方に移動する。操作体１４０の右側部が連動体２５０を下方に移動させる。連動体２５０は第２ボタン軸２２０に固定されているから、連動体２５０の下方への移動に伴い、第２ボタン軸２２０も下方へ移動する。そのため、第１の距離について第２ボタン軸２２０が下方へ移動して半押し操作を行うことができる。
続いて全押し操作をする場合は、引き続き第２押しボタン２００の第２押圧体２１０を押す。第２押圧体２１０が下方へ全押し操作に必要な距離である第２の距離を移動し、そして第２ボタン軸２２０も下方へ移動する。このようにして全押し操作を行うことができる。なお、操作体１４０の右側部に設けられた穴部１４２を第２ボタン軸２２０が貫通しているから、全押し操作をするに際し、操作体１４０を移動させることはない。また、第２押圧体２１０の下面と操作体１４０の右側上面との間の距離は、操作体１４０の底面１４１と第１開口穴６１０の底面６１１との間の距離よりも、十分大きい。また、連動体２５０の下面と第２開口穴６２０の底面６２１との間の距離も、操作体１４０の底面１４１と第１開口穴６１０の底面６１１との間の距離よりも、十分大きい
【００３６】
実施形態２に係る構成によれば、単一のボタン軸によりカメラのシャッターボタン３００を押すことができる。そのため、第２ボタン軸２２０の下側端部がシャッターボタン３００の中央部分を押すように設定することができ、シャッターボタン３００の半押し操作及び全押し操作を確実に行うことができる。
【００３７】
また、第１ボタン１００が第１弾性体１３０により弾性的に支えられているから、該第１押しボタン１００を繰り返してＯＮ・ＯＦＦ操作することができる。また、第２ボタン２００が第２弾性体２３０により弾性的に支えられているから、第２押しボタン２００を繰り返してＯＮ・ＯＦＦ操作することができる。
【００３８】
また、操作体１４０が、第１開口穴６１０の底面６１１から第１の距離について上方に離間した位置に設けられているから、操作体１４０を第１開口穴６１０の底面６１１まで押し込むことで、半押し操作を簡易に行うことができる。連動体２５０が、第２開口穴６２０の底面６２１から第２の距離について上方に離間した位置に設けられているから、第２押圧体２１０を下方へ押し、連動体２５０を第２開口穴６２０の底面６２１まで押し込むことで、全押し操作を簡易に行うことができる。
【００３９】
（実施形態３）
実施形態３に係る押しボタン装置は、実施形態１に係る押しボタン装置と異なり、図４に示すように、シーソー台４１０と、該シーソー台４１０を回動自在に支える支点４２０と、シーソー台４１０の回動動作に伴い、下方向に移動することによりシャッターボタン３００を半押し及び全押しすることが可能な、移動体４３０と、を有する。
【００４０】
支点４２０は、シーソー台４１０の中心部４１９から、図４の右側へ所定距離離間した位置にあり、支点４２０は回動自在に該シーソー台４１０を支える。シーソー台４１０の下方には、移動体４３０が設けられている。移動体４３０は略直方体であり、移動体４３０の下には円柱の操作軸４３１が設けられている。操作軸４３１の下端は、シャッターボタン３００と当接可能である。
【００４１】
シーソー台４１０の右側端部の下方には、シーソー台４１０が時計回りに回動する場合に、移動体４３０が第１の距離以上に下方に移動しないようにするための停止台６９０が設けられている。
【００４２】
シーソー台４１０の一方の端部４１１の下面と移動体４３０との間には下部第１弾性体４４１が設けられる。下部第１弾性体４４１はバネである。シーソー台４１０の他方の端部４１２の下面と移動体４３０との間には下部第２弾性体４５１が設けられる。下部第２弾性体４５１はバネである。
【００４３】
シーソー台４１０の一方の端部４１１と第１押圧体１１０との間には上部第１弾性体４４２が設けられる。上部第１弾性体４４２はバネである。シーソー台４１０の他方の端部４１２と第２押圧体２１０との間には上部第２弾性体４５２が設けられる。上部第２弾性体４５２はバネである。
【００４４】
第１押圧体１１０には、上部第１弾性体４４２が該第１押圧体１１０を上方へ付勢することにより、該第１押圧体１１０を防水ケースの筐体６００の外側へ突出しないようにするために第１規制部材１９０が設けられている。第１規制部材１９０は、図４に示されるように、断面が直角三角形である。また、第２押圧体２１０にも、該第２押圧体２１０を防水ケースの筐体６００の外側へ突出しないようにするための第２規制部材２９０が設けられている。第２規制部材２９０は、断面が直角三角形である。
【００４５】
図５（ａ）に示すように、半押し操作をする場合は、第１押しボタン１００の第１押圧体１１０を押す。第１押圧体１１０が下方に移動することで、上部第１弾性体４４２がシーソー台４１０を時計回りに回動させる。シーソー台４１０の図面右側端部は、停止台６９０と当接する。これによりシーソー台４１０は回動操作を停止する。シーソー台４１０が時計回りに回動することにより、下部第１弾性体４４１が、半押し操作に必要な距離である第１の距離について移動体４３０を下方向へ移動する。移動体４３０が下方向へ移動することにより、移動体４３０の下に設けられた移動軸４３１がシャッターボタン３００を半押しする。なお、たとえ第１押しボタン１００が押圧状態から開放されても、カメラに内蔵されているコンピュータが半押し状態が入力されたことを記憶している。
続いて全押し操作をする場合は、図５（ｂ）に示すように、一度第１押しボタン１００を放し、それから第２押しボタン２００の第２押圧体２１０を押す。第２押圧体２１０が下方に移動することで、上部第２弾性体４５２がシーソー台４１０を半時計回りに回動させる。シーソー台４１０が半時計回りに回動することにより、下部第２弾性体４５１が移動体４３０を下方向へ全押し操作に必要な距離である第２の距離について移動させる。移動体４３０が下方向へ移動することにより、移動体４３０の下に設けられた移動軸４３１がシャッターボタン３００を全押しする。
【００４６】
このように、第１押圧体１１０若しくは第２押圧体２１０の下方向への移動をシーソー台４１０を経由してシャッターボタン３００に伝える構成によれば、第１押圧体１１０と第２押圧体２１０のいずれか一方のみが下方へ移動するから、半押し操作と全押し操作との間における誤操作が起こりにくい。
【００４７】
また、第１規制部材１９０が設けられているから、シーソー台４１０が反時計回りに回動動作をする場合においても、第１押圧体１１０を防水ケースの筐体６００の外側へ突出させることを防止することできる。第２規制部材２９０が設けられているから、シーソー台４１０が時計回りに回動動作をする場合においても、第２押圧体２１０を防水ケースの筐体６００の外側へ突出させることを防止することできる。ゆえに、第１押圧体１１０や第２押圧体２１０が防水ケースの筐体６００から外れることを防止することができる。
【００４８】
（実施形態４）
実施形態４に係る押しボタン装置は実施形態３に係る押しボタン装置と異なり、図６に示すように、第１押圧体１１０、第２押圧体２１０、上部第１弾性体４４２、上部第２弾性体４５２は設けられていない。
実施形態４に係る押しボタン装置は、第１押圧体１１０及び第２押圧体２１０で操作するのではなく、シーソー型ボタン４１８で操作する。半押し操作をする場合は、シーソー型ボタン４１８の一方の端部４１１（シーソー型ボタン４１８の右側端部）の上部を押す。そうすると、シーソー型ボタン４１８が時計回りに回動動作をし、シーソー型ボタン４１８の一方の端部４１１の下部が停止台６９０に当接して、シーソー型ボタン４１８の回動動作が停止する。下部第１弾性体４４１が、半押し操作に必要な距離である第１の距離について移動体４３０を下方向へ移動させる。移動体４３０が下方向へ移動することにより、移動体４３０の下に設けられた移動軸４３１がシャッターボタン３００を半押しする。
続いて全押し操作をする場合は、一度、シーソー型ボタン４１８から指を放し、それからシーソー型ボタン４１８の他方の端部４１２（シーソー型ボタン４１８の左側端部）の上部を押す。そうすると、シーソー型ボタン４１８が反時計回りに回動動作をし、下部第２弾性体４５１が縮み、下部第２弾性体４５１が移動体４３０を下方向へ全押し操作に必要な距離である第２の距離について移動させる。移動体４３０が下方向へ移動することにより、移動体４３０の下に設けられた移動軸４３１がシャッターボタン３００を全押しする。
【００４９】
このように、半押し操作及び全押し操作を、単一のボタンの一方の端部と他方の端部とを押し分けることにより、誤操作を少なくして行うことができる。
【００５０】
（その他の実施形態）
【００５１】
操作部を半押しするとは、操作部が一定量（第１の距離を移動）押された状態で、所定の第１の処理の実行を指示する状態である。
また、操作部を全押しするとは、操作部が半押し状態より大きく押された状態（該一定量よりも大きい量、若しくは、第１の距離よりも大きい第２の距離を移動）で、前記第１の処理とは異なる第２の処理の実行を指示する状態である。
【００５２】
また、上述の実施の形態では、本発明に係る押しボタン装置をカメラの防水ケースに適用した例について記載したが、かかる場合に限定されない。例えば、本発明に係る押しボタン装置をデジタルカメラのシャッターボタンに直接設けることも可能である。
【００５３】
また、上述の実施の形態では、操作部はカメラのシャッターボタン３００であり、第１押しボタン１００は半押し操作を行い、第２押しボタン２００は全押し操作を行うものであった。しかし、かかる実施形態に限定されず、第１押しボタン１００と第２押しボタン２００とはそれぞれ異なるデータ入力操作を行うものでもよい。
【００５４】
さらに、上述の実施の形態では、カメラの場合にける半押し状態とは、露出及びフォーカス等の確定を行う状態であり、全押し状態とは画像の記録を行う状態であるが、かかる場合に限定されない。例えば、カメラの場合にける半押し状態には、シャッタースピードの確定を行う場合も含まれる。
【００５５】
また、第１押圧体１１０の押圧面、第２押圧体２１０の押圧面に、それぞれ異なる模様のレリーフを有する識別部を設けることもできる。例えば第１押圧体１１０の押圧面には、丸形状のレリーフである第１識別部を設けて、第２押圧体２１０の押圧面には正三角形状のレリーフである第２識別部を設けることができる。このように構成することにより、指先で第１押しボタン１００と第２押しボタン２００を認識しうるので、第１押しボタン１００と第２押しボタン２００とを取り間違えて誤操作を行うおそれを少なくさせることができる。
【００５６】
また、本実施形態に係る押しボタン装置９００を有する防水ケースの筐体６００には、例えば、薄型カードサイズボディに光学３倍ズーム装備を搭載したスタイリッシュなデジタルカメラを内蔵することができる。また、本実施形態に係る押しボタン装置９００を有する防水ケースの筐体６００には、ダイビング等による水中撮影を可能とするべく、例えば４０ｍ防水機能を有することが可能である。さらには、本実施形態に係る押しボタン装置９００を有する防水ケースの筐体６００には、ストラップを付けることが可能であり、ストラップを付けることにより軽快に持ち歩くことが可能である。本実施形態に係る押しボタン装置９００を有する防水ケースの筐体６００は、スキューバダイビングに留まらず、キャンプやフィッシングを始め、スキーやスノーボードなど、様々なアウトドアシーンやスポーツシーンで使うことができ、デジタルカメラのフィールドを大きく広げる。
【図面の簡単な説明】
【００５７】
【図１】（ａ）は、実施形態１に係る押しボタン装置を有する防水ケースの筐体を説明する図であり、（ｂ）は断面図である。
【図２】実施形態１に係る押しボタン装置を断面で説明する図であり、第１押圧体の下には第１ボタン軸が設けられ、第２押圧体の下には第２ボタン軸が設けられる。
【図３】実施形態２に係る押しボタン装置を断面で説明する図であり、第１押圧体の下には操作体が設けられ、第２押圧体の下には連動体が設けられる。
【図４】実施形態３に係る押しボタン装置を断面で説明する図であり、第１押しボタン及び第２押しボタンの下にシーソー台が設けられる。
【図５】実施形態３に係る押しボタン装置を断面で説明する図であり、そのうち（ａ）は半押し状態であり、（ｂ）は全押し状態である。
【図６】実施形態４に係る押しボタン装置を断面で説明する図であり、シーソー型ボタンが設けられる。
【符号の説明】
【００５８】
１００…第１押しボタン、１１０…第１押圧体、１２０…第１ボタン軸、１３０…第１弾性体、１４０…操作体、１９０…第１規制部材、２００…第２押しボタン、２１０…第２押圧体、２２０…第２ボタン軸、２３０…第２弾性体、２５０…連動体、２９０…第２規制部材、３００…シャッターボタン、４１０…シーソー台、４１８…シーソー型ボタン、４２０…支点、４３０…移動体、４３１…移動軸、４４１…下部第１弾性体、４４２…上部第１弾性体、４５１…下部第２弾性体、４５２…上部第２弾性体、６００…防水ケースの筐体、６１０…第１開口穴、６２０…第２開口穴、６９０…停止台、７００…カメラ、９００…押しボタン装置
【図１】
2009026683.tif 000003
【図２】
2009026683.tif 000004
【図３】
2009026683.tif 000005
【図４】
2009026683.tif 000006
【図５】
2009026683.tif 000007
【図６】
2009026683.tif 000008